(57)【要約】      （修正有）【課題】比較的簡単な構造によりブレーキの誤操作を防止する自動車を提供する。【解決手段】車輪を操作するハンドル３と、駆動部と制動部を備えた自動車において、ハンドルが棒状に形成され、両端部に操作部３ａ、３ｂが設けられ、操作部の一方に駆動部を作動せしめるスロットル７が取り付けられ、操作部の両方に制動部を作動せしめるブレーキレバー９が取り付けられ、さらにボディの床面に制動部を作動せしめる単一のブレーキペダル１１が設けられる。自動車ボディの床面に配されるペダルがブレーキペダルだけであり、アクセルペダルは床面にない。緊急時にドライバが足を踏ん張ったり、手を握り締めたりするという人間工学的な動作に即応し、確実に制動することができる。【選択図】図２
0003211497.tif 000002
【実用新案登録請求の範囲】
【請求項１】
車輪を操作するハンドルと、駆動部と制動部を備えた自動車において、
上記ハンドルが棒状に形成され、両端部に操作部が設けられ、
該操作部の一方に駆動部を作動せしめるスロットルが取り付けられ、かつ
該操作部の両方に制動部を作動せしめるブレーキレバーが取り付けられ、
さらにボディの床面に制動部を作動せしめる単一のブレーキペダルが設けられることを特徴とするブレーキ誤操作防止機構を備えた自動車。
【請求項２】
請求項１記載のブレーキ誤操作防止機構を備えた自動車において、上記２個のブレーキレバー及びフットブレーキがともに同一のブレーキシリンダを介して車輪に制動動作を伝動することを特徴とするブレーキ誤操作防止機構を備えた自動車。
【請求項３】
請求項２記載のブレーキ誤操作防止機構を備えた自動車において、上記ブレーキシリンダが油圧シリンダからなることを特徴とするブレーキ誤操作防止機構を備えた自動車。
【考案の詳細な説明】
【技術分野】
【０００１】
本願考案は自動車に関し、とくにブレーキの誤操作を防止するブレーキ誤操作防止機構を備えた自動車に関する。
【背景技術】
【０００２】
近年、ブレーキとアクセルの踏み間違いによる自動車事故が目立っている。
【０００３】
最近では老人ドライバが増加しているため、ブレーキを踏むつもりで間違えてアクセルを踏んだ結果、不幸な事故を起こすことが多くなっている。
【０００４】
従来はかかる事故に対し、ドライバへの注意を促すばかりで、有効な対策が採られていなかった。
【先行技術文献】
【特許文献】
【０００５】
【特許文献１】特開２００６−１４９６号公報
【考案の概要】
【考案が解決しようとする課題】
【０００６】
本願考案は上記背景に鑑み、自動車の制動構造に改良を加え、構造上、自動車ブレーキの誤操作を防止することを目的とする。
【０００７】
即ち、本願考案の目的は、比較的簡単な構造により自動車ブレーキの誤操作を防止することである。
【０００８】
また、緊急時にドライバが足を踏ん張ったり、手を握り締めたりするという人間工学的見地から、かかる動作に即応し、確実に制動する自動車を供することを目的とする。
【課題を解決するための手段】
【０００９】
上記目的達成のため、本願考案によるブレーキ誤操作防止機構を備えた自動車は、車輪を操作するハンドルと、駆動部と制動部を備えた自動車において、上記ハンドルが棒状に形成され、両端部に操作部が設けられ、該操作部の一方に駆動部を作動せしめるスロットルが取り付けられ、かつ該操作部の両方に制動部を作動せしめるブレーキレバーが取り付けられ、さらにボディの床面に制動部を作動せしめる単一のブレーキペダルが設けられることを特徴とする。
また、請求項１記載のブレーキ誤操作防止機構を備えた自動車において、上記２個のブレーキレバー及びフットブレーキがともに同一のブレーキシリンダを介して車輪に制動動作を伝動することを特徴とする。
また、請求項２記載のブレーキ誤操作防止機構を備えた自動車において、上記ブレーキシリンダが油圧シリンダからなることを特徴とする。
【考案の効果】
【００１０】
本願考案においては、自動車ボディの床面に配されるペダルがブレーキペダルだけであり、アクセルペダルは床面にない。よって緊急時に従来の習慣からペダルを踏み付けても加速されることがない。
【００１１】
人間工学上、緊急時にドライバが足を踏ん張ったり、手を握り締めたりすることがあると言われる。
【００１２】
かかる場合、上記動作により足を踏ん張ればペダルを踏み付けることになり、また手を握り締めれば、ブレーキレバーを握ることになるが、いずれの場合も上記動作による力が油圧回路により制動部に即応的に伝動される。よって、かかる動作に即応し、確実に車輪に対し制動することができる。
【００１３】
さらに、本願考案によるブレーキ誤操作防止機構を備えた自動車においては、フットブレーキによる制動機構は従来と同一であるにもかかわらず、アクセルペダルが同一床面にないのでペダルを踏み間違えるおそれがない。
【００１４】
また、ハンドルにオートバイで採用されるブレーキレバーによる制動機構を採用するとともに、駆動部の回転数を調節するスロットルをハンドルに取り付けてアクセル機能を奏するから、比較的簡単な機構によりブレーキの誤操作を防止することができる。
【図面の簡単な説明】
【００１５】
【図１】本願考案によるブレーキ誤操作防止機構を備えた自動車の概略図である。
【図２】（Ａ）は図１のハンドル及びフットブレーキを示す概略図、（Ｂ）は（Ａ）の（Ｂ）部詳細図である。
【図３】制動部の概略図である。
【考案を実施するための形態】
【００１６】
次に、実施の形態を示す図面に基づき本願考案によるブレーキ誤操作防止機構を備えた自動車をさらに詳しく説明する。なお、便宜上同一の機能を奏する部分には同一の符号を付してその説明を省略する。
【００１７】
１は自動車であり、前部に前後左右４個の車輪５を操作する軸ハンドル３を備える。上記軸ハンドル３は棒状に形成され、右端部に右軸ハンドル３ａが、左端部に左軸ハンドル３ｂが夫々設けられる。上記右軸ハンドル３ａには、軸の周方向に回動し、図示しない駆動部の回転数を調節するスロットル７が取り付けられる。また、上記右軸ハンドル３ａ及び左軸ハンドル３ｂには、図示しない制動部を作動せしめるブレーキレバー９が取り付けられる。上記軸ハンドル３は、下端部に図示しないタイロット装置が設置され、また上端部にエアバッグ１０が取り付けられる。
ボディの床面には制動部を作動せしめるブレーキペダル１１が取り付けられる。上記ブレーキレバー９には、各々、軸ハンドル３内に内蔵されたワイヤ１３が連結され、該ワイヤ１３によりブレーキシリンダ１５に連結される。上記ブレーキペダル１１は、油圧回路１４によりブレーキシリンダ１５に連結される。該ブレーキシリンダ１５は上記各車輪５と油圧回路１６にて連結される。よって、各ブレーキレバー９及びブレーキペダル１１はいずれも同一のブレーキシリンダ１５を経て各車輪５と連通・連結される。なお、各車輪５内には、制動のため、ディスク、ドラム等適宜の摩擦材からなる制動装置が内設されている。また、上記した軸ハンドル３は、運転者の身長や姿勢等に対応させるため、上下方向又は／及び前後方向に移動可能になっている。
【００１８】
かくして、スロットル７を操作することにより自動車１が動かされ、ブレーキレバー９又はブレーキペダル１１を操作することにより自動車１が制動される。
【００１９】
本願考案においては、自動車ボディの床面に配されるペダルがブレーキペダル１１だけであり、アクセルペダルは床面にない。よって緊急時に従来の習慣からペダルを踏み付けても駆動部がさらに稼働され加速されることがない。
【００２０】
人間工学上、緊急時にドライバが足を踏ん張ったり、手を握り締めたりすることがあると言われる。かかる場合、上記動作により足を踏ん張ればペダルを踏み付けることになり、また手を握り締めれば、ブレーキレバーを握ることになる。しかし、いずれの場合も上記動作による力が油圧回路により制動部に即応的に伝動される。よって、かかる動作に即応し、確実に制動することができる。
【００２１】
さらに、本願考案によるブレーキ誤操作防止機構を備えた自動車においては、フットブレーキによる制動機構は従来と同一であるにもかかわらず、アクセルペダルが同一床面にないのでペダルを踏み間違えるおそれがない。
【００２２】
また、軸ハンドルにオートバイで採用されるブレーキレバーによる制動機構を採用するとともに、駆動部の回転数を調節するスロットルを軸ハンドルに取り付けてアクセル機能を奏するから、比較的簡単な機構によりブレーキの誤操作を防止することができる。
【００２３】
本願考案によるブレーキ誤操作防止機構を備えた自動車は、自動車の種類を問わず、軽自動車だけでなく、例えば普通自動車、大型自動車にも適用することができる。なお、本願考案によるブレーキ誤操作防止機構を備えた自動車は、通常の健常者だけでなく、身障者であっても運転可能である。
【産業上の利用可能性】
【００２４】
本願考案は自動車に幅広く活用することができる。
【符号の説明】
【００２５】
１      自動車
３      軸ハンドル
３ａ    右軸ハンドル
３ｂ    左軸ハンドル
５      車輪
７      スロットル
９      ブレーキレバー
１０    エアバッグ
１１    ブレーキペダル
１３    ワイヤ
１４    油圧回路
１５    ブレーキシリンダ
１６    油圧回路
【図１】
0003211497.tif 000003
【図２】
0003211497.tif 000004
【図３】
0003211497.tif 000005
【手続補正書】
【提出日】平成29年5月17日(2017.5.17)
【手続補正１】
【補正対象書類名】明細書
【補正対象項目名】０００９
【補正方法】変更
【補正の内容】
【０００９】
上記目的達成のため、本願考案によるブレーキ誤操作防止機構を備えた自動車は、車輪を操作するハンドルと、駆動部と制動部を備えた自動車において、上記ハンドルが棒状に形成され、両端部に操作部が設けられ、該操作部の一方に駆動部を作動せしめるスロットルが取り付けられ、かつ該操作部の両方に制動部を作動せしめるブレーキレバーが取り付けられ、さらにボディの床面に制動部を作動せしめる単一のブレーキペダルが設けられることを特徴とする。
また、請求項１記載のブレーキ誤操作防止機構を備えた自動車において、上記２個のブレーキレバー及び上記ブレーキペダルがともに同一のブレーキシリンダを介して車輪に制動動作を伝動することを特徴とする。
また、請求項２記載のブレーキ誤操作防止機構を備えた自動車において、上記ブレーキシリンダが油圧シリンダからなることを特徴とする。
【手続補正２】
【補正対象書類名】実用新案登録請求の範囲
【補正対象項目名】全文
【補正方法】変更
【補正の内容】
【実用新案登録請求の範囲】
【請求項１】
車輪を操作するハンドルと、駆動部と制動部を備えた自動車において、
上記ハンドルが棒状に形成され、両端部に操作部が設けられ、
該操作部の一方に駆動部を作動せしめるスロットルが取り付けられ、かつ
該操作部の両方に制動部を作動せしめるブレーキレバーが取り付けられ、
さらにボディの床面に制動部を作動せしめる単一のブレーキペダルが設けられることを特徴とするブレーキ誤操作防止機構を備えた自動車。
【請求項２】
請求項１記載のブレーキ誤操作防止機構を備えた自動車において、上記２個のブレーキレバー及び上記ブレーキペダルがともに同一のブレーキシリンダを介して車輪に制動動作を伝動することを特徴とするブレーキ誤操作防止機構を備えた自動車。
【請求項３】
請求項２記載のブレーキ誤操作防止機構を備えた自動車において、上記ブレーキシリンダが油圧シリンダからなることを特徴とするブレーキ誤操作防止機構を備えた自動車。